【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
ピクチャ内のブロックの少なくとも一部分のピクチャデータを、前記一部分に関する周辺領域における局所的な幾何学パターンを検出することによってエンコードし、および前記局所的な幾何学パターンのエッジ方向に対して内挿および外挿のうちの少なくとも１つを実行して前記一部分のイントラ予測を生成するビデオエンコーダを備えた装置。
【請求項２】
前記局所的な幾何学パターンは、エッジ検出方法および遷移ポイントベースの分析のうちの少なくとも１つを用いて検出される、請求項１に記載の装置。
【請求項３】
前記エッジ方向の片側のピクセルのみを利用できる場合、前記一部分の前記イントラ予測を生成するのに外挿が用いられ、および前記エッジ方向の両側のピクセルを利用できる場合、前記部分の前記イントラ予測を生成するのに内挿が用いられる、請求項１に記載の装置。
【請求項４】
前記局所的な幾何学パターンは、前記一部分に対して最も近い周辺の２つの境界ピクセルレイヤを検査することによって検出される、請求項１に記載の装置。
【請求項５】
複数の異なる内挿スキームのうちの少なくとも１つは、前記局所的な幾何学パターンが検出された遷移ポイントの数に応じて選択的に用いられる、請求項１に記載の装置。
【請求項６】
前記エッジ方向は、前記イントラ予測の予測方向として用いられる、請求項１に記載の装置。
【請求項７】
前記ブロックの前記ピクチャデータは、最初に前記ブロックの右下のパーティションをエンコードし、およびその後に前記ブロックの左上のパーティションをエンコードすることによってエンコードされる、請求項１に記載の装置。
【請求項８】
前記ブロックのパーティション符号化順序は、最初から最後までの順序において、前記右下のパーティション、右上のパーティション、左下のパーティション、および前記左上のパーティションの順序を備えた、請求項７に記載の装置。
【請求項９】
ビデオエンコーダにおいて、ピクチャ内のブロックの少なくとも一部分のピクチャデータを、前記一部分に対する周辺領域における局所的な幾何学パターンを検出することによってエンコードするステップと、前記局所的な幾何学パターンのエッジ方向に対して内挿および外挿のうちの少なくとも１つを実行して前記一部分のイントラ予測を生成するステップと、を備える、前記方法。
【請求項１０】
前記局所的な幾何学パターンは、エッジ検出方法および遷移ポイントベースの分析のうちの少なくとも１つを用いて検出される、請求項９に記載の方法。
【請求項１１】
前記エッジ方向の片側のピクセルのみを利用できる場合、前記一部分の前記イントラ予測を生成するのに外挿が用いられ、および前記エッジ方向の両側のピクセルを利用できる場合、前記部分の前記イントラ予測を生成するのに内挿が用いられる、請求項９に記載の方法。
【請求項１２】
前記局所的な幾何学パターンは、前記一部分に対して最も近い周辺の２つの境界ピクセルレイヤを検査することによって検出される、請求項９に記載の方法。
【請求項１３】
複数の異なる内挿スキームのうちの少なくとも１つは、前記局所的な幾何学パターンが検出された遷移ポイントの数に応じて選択的に用いられる、請求項９に記載の方法。
【請求項１４】
前記エッジ方向は、前記イントラ予測の予測方向として用いられる、請求項９に記載の方法。
【請求項１５】
前記ブロックの前記ピクチャデータは、最初に前記ブロックの右下のパーティションをエンコードし、およびその後に前記ブロックの左上のパーティションをエンコードすることによってエンコードされる、請求項９に記載の方法。
【請求項１６】
前記ブロックのパーティション符号化順序は、最初から最後までの順序において、前記右下のパーティション、右上のパーティション、左下のパーティション、および前記左上のパーティションの順序を備えた、請求項１５に記載の方法。
【請求項１７】
ピクチャ内のブロックの少なくとも一部分のピクチャデータを、前記一部分に対する周辺領域における局所的な幾何学パターンを検出することによってデコードし、および前記局所的な幾何学パターンのエッジ方向に対して内挿および外挿のうちの少なくとも１つを実行して前記一部分のイントラ予測を生成するビデオデコーダを備える装置。
【請求項１８】
前記局所的な幾何学パターンは、エッジ検出方法および遷移ポイントベースの分析のうちの少なくとも１つを用いて検出される、請求項１７に記載の装置。
【請求項１９】
前記エッジ方向の片側のピクセルのみを利用できる場合、前記一部分の前記イントラ予測を生成するのに外挿が用いられ、および前記エッジ方向の両側のピクセルを利用できる場合、前記部分の前記イントラ予測を生成するのに内挿が用いられる、請求項１７に記載の装置。
【請求項２０】
前記局所的な幾何学パターンは、前記一部分に対して最も近い周辺の２つの境界ピクセルレイヤを検査することによって検出される、請求項１７に記載の装置。
【請求項２１】
複数の異なる内挿スキームのうちの少なくとも１つは、前記局所的な幾何学パターンが検出された遷移ポイントの数に応じて選択的に用いられる、請求項１７に記載の装置。
【請求項２２】
前記エッジ方向は、前記イントラ予測の予測方向として用いられる、請求項１７に記載の装置。
【請求項２３】
前記ブロックの前記ピクチャデータは、最初に前記ブロックの右下のパーティションをデコードし、およびその後に前記ブロックの左上のパーティションをデコードすることによってデコードされる、請求項１７に記載の装置。
【請求項２４】
前記ブロックのパーティション符号化順序は、最初から最後までの順序において、前記右下のパーティション、右上のパーティション、左下のパーティション、および前記左上のパーティションの順序を備えた、請求項２３に記載の装置。
【請求項２５】
ビデオデコーダにおいて、ピクチャ内のブロックの少なくとも一部分のピクチャデータを、前記一部分に対する周辺領域における局所的な幾何学パターンを検出することによってデコードするステップと、前記局所的な幾何学パターンのエッジ方向に対して内挿および外挿のうちの少なくとも１つを実行して前記一部分のイントラ予測を生成するステップと、を備える、方法。
【請求項２６】
前記局所的な幾何学パターンは、エッジ検出方法および遷移ポイントベースの分析のうちの少なくとも１つを用いて検出される、請求項２５に記載の方法。
【請求項２７】
前記エッジ方向の片側のピクセルのみを利用できる場合、前記一部分の前記イントラ予測を生成するのに外挿が用いられ、および前記エッジ方向の両側のピクセルを利用できる場合、前記部分の前記イントラ予測を生成するのに内挿が用いられる、請求項２５に記載の方法。
【請求項２８】
前記局所的な幾何学パターンは、前記一部分に対して最も近い周辺の２つの境界ピクセルレイヤを検査することによって検出される、請求項２５に記載の方法。
【請求項２９】
複数の異なる内挿スキームのうちの少なくとも１つは、前記局所的な幾何学パターンが検出された遷移ポイントの数に応じて選択的に用いられる、請求項２５に記載の方法。
【請求項３０】
前記エッジ方向は、前記イントラ予測の予測方向として用いられる、請求項２５に記載の方法。
【請求項３１】
前記ブロックの前記ピクチャデータは、最初に前記ブロックの右下のパーティションをデコードし、およびその後に前記ブロックの左上のパーティションをデコードすることによってデコードされる、請求項２５に記載の方法。
【請求項３２】
前記ブロックのパーティション符号化順序は、最初から最後までの順序において、前記右下のパーティション、右上のパーティション、左下のパーティション、および前記左上のパーティションの順序を備える、請求項３１に記載の方法。
【請求項３３】
コンピュータ可読記憶媒体上でエンコードされるビデオ信号データを有するコンピュータ可読記憶媒体であって、ピクチャ内のブロックの少なくとも一部分のピクチャデータを備え、前記ピクチャデータは、前記一部分に対する周辺領域における局所的な幾何学パターンを検出し、および前記局所的な幾何学パターンのエッジ方向に対して内挿および外挿のうちの少なくとも１つを実行して前記一部分のイントラ予測を生成することによってエンコードされる、前記コンピュータ可読記憶媒体。
【手続補正２】
【補正対象書類名】明細書
【補正対象項目名】００９２
【補正方法】変更
【補正の内容】
【００９２】
例示的な実施形態は、添付図面を参照して本明細書で説明されているが、本発明の原理は、そのような詳細な実施形態に限定されず、本発明の原理の範囲または精神から逸脱せずに当業者によってさまざまな変更および改良がそれらの実施形態に行われてよいことを理解されたい。そのようなすべての変更および改良は、添付の特許請求の範囲に記載されるように本発明の原理の範囲内に含まれることを意図する。
［付記１］
ピクチャ内のブロックの少なくとも一部分のピクチャデータを、前記一部分に関する周辺領域における局所的な幾何学パターンを検出することによってエンコードし、および前記局所的な幾何学パターンのエッジ方向に対して内挿および外挿のうちの少なくとも１つを実行して前記一部分のイントラ予測を生成するビデオエンコーダ（５００）を備えた装置。
［付記２］
前記局所的な幾何学パターンは、エッジ検出方法および遷移ポイントベースの分析のうちの１つを用いて検出される、付記１に記載の装置。
［付記３］
前記エッジ方向の片側のピクセルのみを利用できる場合、前記部分の前記イントラ予測を生成するのに外挿が用いられ、および前記エッジ方向の両側のピクセルを利用できる場合、前記部分の前記イントラ予測を生成するのに内挿が用いられる、付記１に記載の装置。
［付記４］
前記局所的な幾何学パターンは、前記部分に対して最も近い周辺の２つの境界ピクセルレイヤを検査することによって検出される、付記１に記載の装置。
［付記５］
複数の異なる内挿スキームのうちの少なくとも１つは、前記局所的な幾何学パターンが検出された遷移ポイントの数に応じて選択的に用いられる、付記１に記載の装置。
［付記６］
前記エッジ方向は、前記イントラ予測の予測方向として用いられる、付記１に記載の装置。
［付記７］
前記ブロックの前記ピクチャデータは、最初に前記ブロックの右下のパーティションをエンコードし、およびその後に前記ブロックの左上のパーティションをエンコードすることによってエンコードされる、付記１に記載の装置。
［付記８］
前記ブロックのパーティション符号化順序は、最初から最後までの順序において、前記右下のパーティション、右上のパーティション、左下のパーティション、および前記左上のパーティションの順序を備えた、付記７に記載の装置。
［付記９］
ビデオエンコーダにおいて、ピクチャ内のブロックの少なくとも一部分のピクチャデータを、前記一部分に対する周辺領域における局所的な幾何学パターンを検出する（８２５）ことによってエンコードするステップと、前記局所的な幾何学パターンのエッジ方向に対して内挿および外挿のうちの少なくとも１つを実行して前記一部分のイントラ予測を生成する（８２５）ステップを備える、前記方法。
［付記１０］
前記局所的な幾何学パターンは、エッジ検出方法および遷移ポイントベースの分析のうちの１つを用いて検出される、付記９に記載の方法。
［付記１１］
前記エッジ方向の片側のピクセルのみを利用できる場合、前記部分の前記イントラ予測を生成するのに外挿（８２５）が用いられ、および前記エッジ方向の両側のピクセルを利用できる場合、前記部分の前記イントラ予測を生成するのに内挿（８２５）が用いられる、付記９に記載の方法。
［付記１２］
前記局所的な幾何学パターンは、前記部分に対して最も近い周辺の２つの境界ピクセルレイヤを検査することによって検出される、付記９に記載の方法。
［付記１３］
複数の異なる内挿スキームのうちの少なくとも１つは、前記局所的な幾何学パターンが検出された遷移ポイントの数に応じて選択的に用いられる、付記９に記載の方法。
［付記１４］
前記エッジ方向は、前記イントラ予測の予測方向として用いられる、付記９に記載の方法。
［付記１５］
前記ブロックの前記ピクチャデータは、最初に前記ブロックの右下のパーティションをエンコードし、およびその後に前記ブロックの左上のパーティションをエンコードすることによってエンコードされる（８２５）、付記９に記載の方法。
［付記１６］
前記ブロックのパーティション符号化順序は、最初から最後までの順序において、前記右下のパーティション、右上のパーティション、左下のパーティション、および前記左上のパーティションの順序を備えた、付記１５に記載の方法。
［付記１７］
ピクチャ内のブロックの少なくとも一部分のピクチャデータを、前記一部分に対する周辺領域における局所的な幾何学パターンを検出することによってデコードし、および前記局所的な幾何学パターンのエッジ方向に対して内挿および外挿のうちの少なくとも１つを実行して前記一部分のイントラ予測を生成するビデオデコーダ（６００）を備える装置。
［付記１８］
前記局所的な幾何学パターンは、エッジ検出方法および遷移ポイントベースの分析のうちの１つを用いて検出される、付記１７に記載の装置。
［付記１９］
前記エッジ方向の片側のピクセルのみを利用できる場合、前記部分の前記イントラ予測を生成するのに外挿が用いられ、および前記エッジ方向の両側のピクセルを利用できる場合、前記部分の前記イントラ予測を生成するのに内挿が用いられる、付記１７に記載の装置。
［付記２０］
前記局所的な幾何学パターンは、前記部分に対して最も近い周辺の２つの境界ピクセルレイヤを検査することによって検出される、付記１７に記載の装置。
［付記２１］
複数の異なる内挿スキームのうちの少なくとも１つは、前記局所的な幾何学パターンが検出された遷移ポイントの数に応じて選択的に用いられる、付記１７に記載の装置。
［付記２２］
前記エッジ方向は、前記イントラ予測の予測方向として用いられる、付記１７に記載の装置。
［付記２３］
前記ブロックの前記ピクチャデータは、最初に前記ブロックの右下のパーティションをエンコードし、およびその後に前記ブロックの左上のパーティションをエンコードすることによってエンコードされる、付記１７に記載の装置。
［付記２４］
前記ブロックのパーティション符号化順序は、最初から最後までの順序において、前記右下のパーティション、右上のパーティション、左下のパーティション、および前記左上のパーティションの順序を備えた、付記２３に記載の装置。
［付記２５］
ビデオデコーダにおいて、ピクチャ内のブロックの少なくとも一部分のピクチャデータを、前記一部分に対する周辺領域における局所的な幾何学パターンを検出する（９４５、９５０）ことによってデコードするステップと、前記局所的な幾何学パターンのエッジ方向に対して内挿および外挿のうちの少なくとも１つを実行して前記一部分のイントラ予測を生成する（９４５、９５０）ステップを備える方法。
［付記２６］
前記局所的な幾何学パターンは、エッジ検出方法および遷移ポイントベースの分析のうちの１つを用いて検出される付記２５に記載の方法。
［付記２７］
前記エッジ方向の片側のピクセルのみを利用できる場合、前記部分の前記イントラ予測を生成するのに外挿（９４５）が用いられ、および前記エッジ方向の両側のピクセルを利用できる場合、前記部分の前記イントラ予測を生成するのに内挿（９５０）が用いられる付記２５に記載の方法。
［付記２８］
前記局所的な幾何学パターンは、前記部分に対して最も近い周辺の２つの境界ピクセルレイヤを検査することによって検出される、付記２５に記載の方法。
［付記２９］
複数の異なる内挿スキームのうちの少なくとも１つは、前記局所的な幾何学パターンが検出された遷移ポイントの数に応じて選択的に用いられる、付記２５に記載の方法。
［付記３０］
前記エッジ方向は、前記イントラ予測の予測方向として用いられる、付記２５に記載の方法。
［付記３１］
前記ブロックの前記ピクチャデータは、最初に前記ブロックの右下のパーティションをエンコードし（９４５）、およびその後に前記ブロックの左上のパーティションをエンコードする（９５０）ことによってエンコードされる、付記２５に記載の方法。
［付記３２］
前記ブロックのパーティション符号化順序は、最初から最後までの順序において、前記右下のパーティション、右上のパーティション、左下のパーティション、および前記左上のパーティションの順序を備える、付記３１に記載の方法。
［付記３３］
コンピュータ可読記憶媒体上でエンコードされるビデオ信号データを有するコンピュータ可読記憶媒体であって、ピクチャ内のブロックの少なくとも一部分のピクチャデータを備え、前記ピクチャデータは前記一部分に対する周辺領域における局所的な幾何学パターンを検出し、および前記局所的な幾何学パターンのエッジ方向に対して内挿および外挿のうちの少なくとも１つを実行して前記一部分のイントラ予測を生成することによってエンコードされる、前記コンピュータ可読記憶媒体。